(57)【要約】【課題】空気調和機用のリモコンのユーザビリティを向上させること。【解決手段】空気調和機用のリモコン１０は、操作を受け付ける操作部１２と、画面を表示する表示部１３と、制御部１４とを有し、制御部１４は、メイン画面が表示部１３に表示されているときに操作部１２に対する操作がなされると、表示部１３に表示される画面をサブ画面に切りかえ、サブ画面が表示部１３に表示されてから操作部１２に対する操作がなされること無く所定時間が経過したときに、表示部１３に表示される画面を、サブ画面に対応するメニュー画面に切りかえる。【選択図】図４
2020070971.tif 000002
【特許請求の範囲】
【請求項１】
空気調和機用のリモートコントローラであって、
操作を受け付ける操作部と、
画面を表示する表示部と、  
第一画面が前記表示部に表示されているときに前記操作部に対する操作がなされると、前記表示部に表示される画面を第二画面に切りかえ、
前記第二画面が前記表示部に表示されてから前記操作部に対する操作がなされること無く所定時間が経過したときに、前記表示部に表示される画面を、前記第二画面に対応する第三画面に切りかえる制御部と、
を具備するリモートコントローラ。
【請求項２】
前記制御部は、前記表示部における前記第二画面の表示範囲を徐々に減少させるのに合わせて、前記表示部における前記第三画面の表示範囲を徐々に増加させるようにして、前記第三画面を前記表示部に表示させる、
請求項１に記載のリモートコントローラ。
【請求項３】
前記制御部は、前記第二画面の一部を残して前記表示部に表示させたまま前記第三画面を前記表示部に表示させる、
請求項１または２に記載のリモートコントローラ。
【発明の詳細な説明】
【技術分野】
【０００１】
本開示は、空気調和機用のリモートコントローラに関する。
【背景技術】
【０００２】
画面表示された上位の複数のメニュー項目の中から何れか１つのメニュー項目が選択されたときに、選択された上位の１つのメニュー項目（以下では「選択上位項目」と呼ぶことがある）に対応する下位の複数のメニュー項目を、選択上位項目と並べて同一画面に表示する技術がある。
【先行技術文献】
【特許文献】
【０００３】
【特許文献１】特開２０１３−１５９２７３号公報
【発明の概要】
【発明が解決しようとする課題】
【０００４】
上記の技術では、選択上位項目と、選択上位項目に対応する下位の複数のメニュー項目とを同一画面に並べて表示する。このため、画面が小さい機器（例えば、空気調和機用のリモートコントローラ）に上記の技術を適用するには、各メニュー項目を一画面に収めて表示するために、各メニュー項目の表示を小さくしなければならない。よって、上記の技術を画面が小さい機器に適用すると、下位のメニュー項目の視認性が低下するため、表示された下位の複数のメニュー項目の中から何れか１つのメニュー項目を選択することが困難になってしまう。よって、上記の技術を画面が小さい機器に適用すると、ユーザビリティ（ユーザの使い勝手）が低下してしまう。
【０００５】
本開示は、空気調和機用のリモートコントローラのユーザビリティを向上させることができる技術を提供する。
【課題を解決するための手段】
【０００６】
開示の態様のリモートコントローラは、空気調和機用のリモートコントローラであって、操作を受け付ける操作部と、画面を表示する表示部と、制御部とを有する。前記制御部は、第一画面が前記表示部に表示されているときに前記操作部に対する操作がなされると、前記表示部に表示される画面を第二画面に切りかえる。また、前記制御部は、前記第二画面が前記表示部に表示されてから前記操作部に対する操作がなされること無く所定時間が経過したときに、前記表示部に表示される画面を、前記第二画面に対応する第三画面に切りかえる。
【発明の効果】
【０００７】
本開示の技術によれば、空気調和機用のリモートコントローラのユーザビリティを向上させることができる。
【図面の簡単な説明】
【０００８】
【図１】図１は、実施例１の空気調和機制御システムの構成例を示す図である。
【図２】図２は、実施例１のリモートコントローラの外観の一例を示す図である。
【図３】図３は、実施例１の操作部の構成例を示す図である。
【図４】図４は、実施例１のリモートコントローラの構成例を示す図である。
【図５】図５は、実施例１のリモートコントローラの動作例の説明に供する図である。
【図６】図６は、実施例１のリモートコントローラの動作例の説明に供する図である。
【図７】図７は、実施例２のリモートコントローラの動作例の説明に供する図である。
【発明を実施するための形態】
【０００９】
以下に、本開示の技術を図面に基づいて説明する。以下では、同一の構成には同一の符号を付す。
【００１０】
［実施例１］
＜空気調和機制御システムの構成＞
図１は、実施例１の空気調和機制御システムの構成例を示す図である。図１において、空気調和機制御システム１は、リモートコントローラ（以下では「リモコン」と呼ぶことがある）１０と、空気調和機２０とを有する。リモコン１０は空気調和機２０用のリモコンであり、リモコン１０に対するユーザの操作に応じて、空気調和機２０の動作が制御される。リモコン１０と空気調和機２０とは、例えば赤外線通信や、Bluetooth（登録商標）等の高周波通信を用いて、相互に無線通信する。
【００１１】
＜リモートコントローラの外観＞
図２は、実施例１のリモートコントローラの外観の一例を示す図である。図２において、リモコン１０は、筐体１１と、操作部１２と、表示部１３と、底面１４とを有する。
【００１２】
筐体１１は、例えば、ＡＢＳ等の樹脂材料により形成される。また、筐体１１は、円筒状の形状をとり、筐体１１の上面は、ユーザがリモコン１０を操作する際の手前側から奥側（Ｙ軸方向）に向かって傾斜し、筐体１１の奥側が筐体１１の手前側より、底面１４を基準にＺ軸方向に高い位置にある。
【００１３】
筐体１１の上面には、操作部１２と、表示部１３とが設けられる。ユーザは、表示部１３に表示される画面（以下では「表示画面」と呼ぶことがある）を見て操作部１２に対して操作を行うことにより、空気調和機２０の動作を制御する。
【００１４】
また、操作部１２及び表示部１３は、筐体１１の底面１４に対し５°〜１５°傾斜している。
【００１５】
＜操作部の構成＞
図３は、実施例１の操作部の構成例を示す図である。図３において、操作部１２には、４つの選択ボタン１２１〜１２４と、１つの決定ボタン１２５とが配置される。表示部１３を基準にして、選択ボタン１２１は奥側に、選択ボタン１２２は手前側に、選択ボタン１２３は左側に、選択ボタン１２４は右側に、それぞれ配置される。また、決定ボタン１２５は、表示部１３の右下コーナー付近に配置される。
【００１６】
以下の図５，６において説明するように、選択ボタン１２１は、ユーザの選択画面や選択項目を現在のものより人間の感覚的に上に位置するものに切りかえるためのボタンであり、選択ボタン１２２は、ユーザの選択画面や選択項目を現在のものより人間の感覚的に下に位置するものに切りかえるためのボタンである。選択ボタン１２３は、ユーザの選択画面や選択項目を現在のものより人間の感覚的に左に位置するものに切りかえるためのボタンであり、選択ボタン１２４は、ユーザの選択画面や選択項目を現在のものより人間の感覚的に右に位置するものに切りかえるためのボタンである。また、決定ボタン１２５は、選択ボタン１２１〜１２４を用いてユーザが選択した画面や項目における動作内容を決定するためのボタンである。
【００１７】
＜リモートコントローラの構成＞
図４は、実施例１のリモートコントローラの構成例を示す図である。図４において、リモコン１０は、操作部１２と、表示部１３と、制御部１４と、記憶部１５と、通信部１６と、アンテナ１７とを有する。制御部１４、記憶部１５、通信部１６、及び、アンテナ１７は、筐体１１の内部に配置される。制御部１４は、リモコン１０の各種制御を行う。記憶部１５は、リモコン１０の動作に必要な各種の情報を記憶する。通信部１６は、空気調和機２０と無線通信する。アンテナ１７は、通信部１６から出力された信号を送信し、空気調和機２０から送信された信号を受信する。
【００１８】
＜リモートコントローラの動作＞
図５，６は、実施例１のリモートコントローラの動作例の説明に供する図である。
【００１９】
記憶部１５には、図５に示す１つのメイン画面ＭＰ、複数のサブ画面ＳＰ１〜ＳＰ３、及び、複数のメニュー画面ＮＰ１〜ＮＰ３の各画面が記憶されている。メニュー画面ＮＰ１は、運転モード設定用のサブ画面ＳＰ１に対応するメニュー画面であり、選択可能な運転モードの項目を一覧表示する。メニュー画面ＮＰ２は、風量設定用のサブ画面ＳＰ２に対応するメニュー画面であり、選択可能な風量設定対象の項目を一覧表示する。メニュー画面ＮＰ３は、風向設定用のサブ画面ＳＰ３に対応するメニュー画面であり、選択可能な風向設定の項目を一覧表示する。また、サブ画面ＳＰ１は領域Ｒ１１と領域Ｒ１２とから形成され、サブ画面ＳＰ２は領域Ｒ２１と領域Ｒ２２とから形成され、サブ画面ＳＰ３は領域Ｒ３１と領域Ｒ３２とから形成される。
【００２０】
制御部１４は、ユーザよる選択ボタン１２１〜１２４及び決定ボタン１２５に対する操作に応じて、記憶部１５から、メイン画面ＭＰ、サブ画面ＳＰ１〜ＳＰ３、及び、メニュー画面ＮＰ１〜ＮＰ３のうちの何れかの画面を読み出し、表示部１３に表示させる。
【００２１】
以下では、サブ画面ＳＰ１〜ＳＰ３を「サブ画面ＳＰ」と総称し、メニュー画面ＮＰ１〜ＮＰ３を「メニュー画面ＮＰ」と総称することがある。
【００２２】
制御部１４は、図５に示すように、メイン画面ＭＰとサブ画面ＳＰ１〜ＳＰ３とから第一階層の画面群（以下では「第一階層画面群」と呼ぶことがある）を形成し、メニュー画面ＮＰ１〜ＮＰ３から、第一階層より下位の階層である第二階層の画面群（以下では「第二階層画面群」と呼ぶことがある）を形成する。
【００２３】
例えば、制御部１４は、リモコン１０が待機状態にあるときは、表示部１３を消灯させることによりリモコン１０の省電力化を図る。そして、制御部１４は、待機状態にあるリモコン１０において決定ボタン１２５がタッチされると、リモコン１０を待機状態から動作状態に復帰させる。また、制御部１４は、リモコン１０を動作状態に復帰させた際の初期画面として、メイン画面ＭＰを表示部１３に表示させる。メイン画面ＭＰには、例えば、空気調和機２０の現在の運転モード（図５の例では「冷房」）と、空気調和機２０における現在の設定温度（図５の例では「２８℃」）とが含まれる。
【００２４】
メイン画面ＭＰが表示部１３に表示されているときに選択ボタン１２１がタッチされると、制御部１４は、空気調和機２０の設定温度を上げることを空気調和機２０に指示する信号を通信部１６を用いてアンテナ１７を介して空気調和機２０へ送信する。一方で、メイン画面ＭＰが表示部１３に表示されたときに選択ボタン１２２がタッチされると、制御部１４は、空気調和機２０の設定温度を下げることを空気調和機２０に指示する信号を通信部１６を用いてアンテナ１７を介して空気調和機２０へ送信する。
【００２５】
また、メイン画面ＭＰが表示部１３に表示されているときに選択ボタン１２４がタッチされると、制御部１４は、表示画面を、メイン画面ＭＰからサブ画面ＳＰ１に切りかえる。サブ画面ＳＰ１は運転モード設定用のサブ画面である。サブ画面ＳＰ１において、領域Ｒ１１にはサブ画面ＳＰ１が運転モード設定用のサブ画面であることを示す文字「運転モード」が表示され、領域Ｒ１２にはサブ画面ＳＰ１が運転モード設定用のサブ画面であることを視覚的に表すマークが表示される。
【００２６】
そして、サブ画面ＳＰ１が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ１からメニュー画面ＮＰ１に切りかえる。この所定時間は、例えば、ユーザがリモコン１０の操作を行う際に違和感を覚えない程度の適当な時間（例えば０.５秒〜１.２秒の何れかの時間）に設定される。
【００２７】
制御部１４は、表示画面をサブ画面ＳＰ１からメニュー画面ＮＰ１に切りかえる際に、サブ画面ＳＰ１の一部である領域Ｒ１１を残して表示部１３に表示させたまま、メニュー画面ＮＰ１を表示部１３に表示させる。
【００２８】
メニュー画面ＮＰ１では、空気調和機２０において選択可能な運転モードの項目の一覧が表示される。例えば、メニュー画面ＮＰ１には、選択可能な運転モードの項目として、「ランドリー」と、「冷房」と、「除湿」とが表示されている。運転モードが「ランドリー」である場合、空気調和機２０は、外気温が２０℃以上のときは、冷房の強弱を組み合わせた運転で空気を乾燥させ、外気温が２０℃未満のときは、最初に暖房運転で部屋を暖めた後、冷房の強弱を組み合わせた運転で空気を乾燥させる。制御部１４は、表示部１３にメニュー画面ＮＰ１が表示されている際に選択ボタン１２１または選択ボタン１２２がタッチされると、メニュー画面ＮＰ１に表示される一覧において反転表示される項目を切りかえる。これにより、ユーザは、これらの中から何れか一つの項目を選択する。
【００２９】
ユーザは、選択を終えた後に決定ボタン１２５をタッチすることで制御部１４に対し選択した項目を通知する。制御部１４は、通知された項目（例えば「冷房」）を通信部１６を用いてアンテナ１７を介して空気調和機２０へ送信する。
【００３０】
また、メニュー画面ＮＰ１が表示部１３に表示されているときに選択ボタン１２３がタッチされると、制御部１４は、表示画面を、メニュー画面ＮＰ１からサブ画面ＳＰ１に戻す。なお、制御部１４は、メニュー画面ＮＰ１が表示部１３に表示されているときに選択ボタン１２４がタッチされると、表示画面を、メニュー画面ＮＰ１からサブ画面ＳＰ１に戻しても良い。
【００３１】
また、メイン画面ＭＰが表示部１３に表示されているときに選択ボタン１２３がタッチされると、制御部１４は、表示画面を、メイン画面ＭＰからサブ画面ＳＰ３に切りかえる。サブ画面ＳＰ３は風向設定用のサブ画面である。サブ画面ＳＰ３において、領域Ｒ３１にはサブ画面ＳＰ３が風向設定用のサブ画面であることを示す文字「風向」が表示され、領域Ｒ３２にはサブ画面ＳＰ３が風向設定用のサブ画面であることを視覚的に表すマークが表示される。
【００３２】
そして、サブ画面ＳＰ３が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ３からメニュー画面ＮＰ３に切りかえる。
【００３３】
制御部１４は、表示画面をサブ画面ＳＰ３からメニュー画面ＮＰ３に切りかえる際に、サブ画面ＳＰ３の一部である領域Ｒ３１を残して表示部１３に表示させたまま、メニュー画面ＮＰ３を表示部１３に表示させる。
【００３４】
メニュー画面ＮＰ３では、空気調和機２０において選択可能な風向設定の項目の一覧が表示される。例えば、メニュー画面ＮＰ３には、選択可能な風向設定の項目として、「快適おまかせ気流」と、「全ファン連動上下」と、「全ファン連動左右」とが表示されている。風向設定が「快適おまかせ気流」である場合、空気調和機２０は、部屋の状況に合わせて、風向を自動調節する。風向設定が「全ファン連動上下」である場合、空気調和機２０は、サイドファンの上下の向きを中央ファンの上下の向きに合わせて自動で最適な状態にする。風向設定が「全ファン連動左右」である場合、空気調和機２０は、サイドファンの左右の向きを中央ファンの左右の向きに合わせて自動で最適な状態にする。制御部１４は、表示部１３にメニュー画面ＮＰ３が表示されている際に選択ボタン１２１または選択ボタン１２２がタッチされると、メニュー画面ＮＰ３に表示される一覧において反転表示される項目を切りかえる。これにより、ユーザは、これらの中から何れか一つの項目を選択する。
【００３５】
ユーザは、選択を終えた後に決定ボタン１２５をタッチすることで制御部１４に対し選択した項目を通知する。制御部１４は、通知された項目（例えば「全ファン連動上下」）を通信部１６を用いてアンテナ１７を介して空気調和機２０へ送信する。
【００３６】
また、メニュー画面ＮＰ３が表示部１３に表示されているときに選択ボタン１２３がタッチされると、制御部１４は、表示画面を、メニュー画面ＮＰ３からサブ画面ＳＰ３に戻す。なお、制御部１４は、メニュー画面ＮＰ３が表示部１３に表示されているときに選択ボタン１２４がタッチされると、表示画面を、メニュー画面ＮＰ３からサブ画面ＳＰ３に戻しても良い。
【００３７】
また、サブ画面ＳＰ１が表示部１３に表示されてから所定時間（例えば、０.８秒）以内に選択ボタン１２４がタッチされると、制御部１４は、表示画面を、サブ画面ＳＰ１からサブ画面ＳＰ２に切りかえる。サブ画面ＳＰ２は風量設定用のサブ画面である。サブ画面ＳＰ２において、領域Ｒ２１にはサブ画面ＳＰ２が風量設定用のサブ画面であることを示す文字「風量」が表示され、領域Ｒ２２にはサブ画面ＳＰ２が風量設定用のサブ画面であることを視覚的に表すマークが表示される。
【００３８】
また、サブ画面ＳＰ２が表示部１３に表示されてから選択ボタン１２１〜１２４及び決定ボタン１２５の何れもがタッチされることなく所定時間（例えば、０.８秒）が経過した場合は、制御部１４は、表示画面を、サブ画面ＳＰ２からメニュー画面ＮＰ２に切りかえる。
【００３９】
制御部１４は、表示画面をサブ画面ＳＰ２からメニュー画面ＮＰ２に切りかえる際に、サブ画面ＳＰ２の一部である領域Ｒ２１を残して表示部１３に表示させたまま、メニュー画面ＮＰ２を表示部１３に表示させる。
【００４０】
メニュー画面ＮＰ２では、空気調和機２０において選択可能な風量設定対象の項目の一覧が表示される。例えば、メニュー画面ＮＰ２には、選択可能な風量設定対象の項目として、「快適おまかせ気流」と、「全ファン連動風量」と、「中央ファン風量」とが表示されている。風量設定が「快適おまかせ気流」である場合、空気調和機２０は、部屋の状況に合わせて、風量を自動調節する。風量設定が「全ファン連動風量」である場合、空気調和機２０は、サイドファンの風量を中央ファンの風量に合わせて自動で最適な状態にする。風量設定が「中央ファン風量」である場合、ユーザは、サブ画面ＳＰ２において中央ファンの風量を設定できる。制御部１４は、表示部１３にメニュー画面ＮＰ２が表示されている際に選択ボタン１２１または選択ボタン１２２がタッチされると、メニュー画面ＮＰ２に表示される一覧において反転表示される項目を切りかえる。これにより、ユーザは、これらの中から何れか一つの項目を選択する。
【００４１】
ユーザは、選択を終えた後に決定ボタン１２５をタッチすることで制御部１４に対し選択した項目を通知する。制御部１４は、通知された項目（例えば「全ファン連動風量」）を通信部１６を用いてアンテナ１７を介して空気調和機２０へ送信する。
【００４２】
また、メニュー画面ＮＰ２が表示部１３に表示されているときに選択ボタン１２３がタッチされると、制御部１４は、表示画面を、メニュー画面ＮＰ２からサブ画面ＳＰ２に戻す。なお、制御部１４は、メニュー画面ＮＰ２が表示部１３に表示されているときに選択ボタン１２４がタッチされると、表示画面を、メニュー画面ＮＰ２からサブ画面ＳＰ２に戻しても良い。
【００４３】
また、サブ画面ＳＰ１が表示部１３に表示されてから所定時間（例えば、０.８秒）以内に選択ボタン１２３がタッチされると、制御部１４は、表示画面を、サブ画面ＳＰ１からメイン画面ＭＰに切りかえる。
【００４４】
また、サブ画面ＳＰ２が表示部１３に表示されてから所定時間（例えば、０.８秒）以内に選択ボタン１２４がタッチされると、制御部１４は、表示画面を、サブ画面ＳＰ２からサブ画面ＳＰ３に切りかえる。
【００４５】
また、サブ画面ＳＰ２が表示部１３に表示されてから所定時間（例えば、０.８秒）以内に選択ボタン１２３がタッチされると、制御部１４は、表示画面を、サブ画面ＳＰ２からサブ画面ＳＰ１に切りかえる。
【００４６】
また、サブ画面ＳＰ３が表示部１３に表示されてから所定時間（例えば、０.８秒）以内に選択ボタン１２４がタッチされると、制御部１４は、表示画面を、サブ画面ＳＰ３からメイン画面ＭＰに切りかえる。
【００４７】
また、サブ画面ＳＰ３が表示部１３に表示されてから所定時間（例えば、０.８秒）以内に選択ボタン１２３がタッチされると、制御部１４は、表示画面を、サブ画面ＳＰ３からサブ画面ＳＰ２に切りかえる。
【００４８】
＜サブ画面からメニュー画面への画面切りかえ例＞
サブ画面からメニュー画面への画面切りかえの一例として、図６に、サブ画面ＳＰ１からメニュー画面ＮＰ１への切りかえ状態を示す。なお、制御部１４は、サブ画面ＳＰ２からメニュー画面ＮＰ２への切りかえ、及び、サブ画面ＳＰ３からメニュー画面ＮＰ３への切りかえについても、サブ画面ＳＰ１からメニュー画面ＮＰ１への切りかえと同様に行う。
【００４９】
図６に示すように、制御部１４は、表示画面をサブ画面ＳＰ１からメニュー画面ＮＰ１に切りかえる際に、例えば、表示部１３において、領域Ｒ１１を残したまま、領域Ｒ１２を徐々に隠すようにしてメニュー画面ＮＰ１の上端を領域Ｒ１１の下端まで迫り上がらせる。このように、制御部１４は、表示部１３におけるサブ画面ＳＰ１の表示範囲を徐々に減少させるのに合わせて、表示部１３におけるメニュー画面ＮＰ１の表示範囲を徐々に増加させるようにして、表示画面をサブ画面ＳＰ１からメニュー画面ＮＰ１に切りかえる。
【００５０】
以上、実施例１について説明した。
【００５１】
［実施例２］
ここで、実施例１において各選択ボタンによる表示画面の切りかえ例を図５に示したが、図上で人間の感覚的に示されている表示画面の上下左右の位置関係はこれに限定されるものではない。例えば図５において左右方向を上下方向に、上下方向を左右方向に置き換えたものを図７として示す。このようにして表示画面を配置した場合でも、実施例１と同様な動作をさせることが可能である。実施例２は、実施例１と比べて、表示画面についての人間の感覚的な位置関係を変えたのみであるため、実施例２では、動作に関する説明は省略する。
【００５２】
以上、実施例２について説明した。
【００５３】
以上のように、実施例１，２によれば、空気調和機２０用のリモコン１０は、操作を受け付ける操作部１２と、画面を表示する表示部１３と、制御部１４とを有する。制御部１４は、メイン画面ＭＰが表示部１３に表示されているときに操作部１２に対する操作がなされると、表示部１３に表示される画面をサブ画面ＳＰ１またはサブ画面ＳＰ３に切りかえる。また、制御部１４は、サブ画面ＳＰ１が表示部１３に表示されてから操作部１２に対する操作がなされること無く所定時間が経過したときに、表示部１３に表示される画面を、サブ画面ＳＰ１に対応するメニュー画面ＮＰ１に切りかえる。また、制御部１４は、サブ画面ＳＰ３が表示部１３に表示されてから操作部１２に対する操作がなされること無く所定時間が経過したときに、表示部１３に表示される画面を、サブ画面ＳＰ３に対応するメニュー画面ＮＰ３に切りかえる。メイン画面ＭＰは「第一画面」の一例であり、サブ画面ＳＰは「第二画面」の一例であり、メニュー画面ＮＰは「第三画面」の一例である。
【００５４】
こうすることで、サブ画面ＳＰと、サブ画面ＳＰに対応するメニュー画面ＮＰとが同時に表示部１３に表示されることがなくなるため、表示部１３の画面が小さい場合でも、メニュー画面ＮＰの視認性の低下を防げるので、ユーザは、メニュー画面ＮＰに含まれる項目の選択を容易に行うことができる。また、サブ画面ＳＰから、サブ画面ＳＰに対応するメニュー画面ＮＰへの切りかえは、リモコン１０に対するユーザの操作を待たずに自動的に行われるため、表示画面の切りかえに際し、リモコン１０の操作に係るユーザの労力を軽減することができる。また、サブ画面ＳＰから、サブ画面ＳＰに対応するメニュー画面ＮＰへの切りかえは、サブ画面ＳＰが表示されてから所定時間経過後に行われるため、ユーザは、サブ画面ＳＰに表示された情報を所定時間確認した上で、メニュー画面ＮＰを見ることができる。このため、ユーザは、サブ画面ＳＰとメニュー画面ＮＰとの対応関係を把握し易くなる。
【００５５】
よって、上記のようにして制御部１４が画面表示を行うことにより、画面が小さい機器の一つである空気調和機用のリモコンのユーザビリティを向上させることができる。
【００５６】
また、制御部１４は、表示部１３におけるサブ画面ＳＰの表示範囲を徐々に減少させるのに合わせて、表示部１３におけるメニュー画面ＮＰの表示範囲を徐々に増加させるようにして、メニュー画面ＮＰを表示部１３に表示させる。
【００５７】
こうすることで、サブ画面ＳＰからメニュー画面ＮＰへの切りかえが徐々に行われているように表現できるため、サブ画面ＳＰからメニュー画面ＮＰへの切りかえの際の違和感を軽減することができる。
【００５８】
また、制御部１４は、サブ画面ＳＰの一部を残して表示部１３に表示させたままメニュー画面ＮＰを表示部１３に表示させる。
【００５９】
こうすることで、サブ画面ＳＰと、サブ画面ＳＰから切りかえられたメニュー画面ＮＰとの関連を明確に示すことができる。
【００６０】
［実施例３］
＜リモートコントローラのハードウェア構成＞
リモコン１０は、次のようなハードウェア構成により実現することができる。例えば、操作部１２は、タッチセンサにより実現される。表示部１３は、例えば液晶ディスプレイにより実現される。また、操作部１２と表示部１３とを一体として、タッチパネルにより実現しても良い。制御部１４は、例えばプロセッサによって実現される。プロセッサの一例として、ＣＰＵ（Central  Processing  Unit）、ＤＳＰ（Digital  Signal  Processor）、ＦＰＧＡ（Field  Programmable  Gate  Array）等が挙げられる。記憶部１５は、例えばメモリによって実現される。メモリの一例として、ＳＤＲＡＭ（Synchronous  Dynamic  Random  Access  Memory）等のＲＡＭ（Random  Access  Memory），ＲＯＭ（Read  Only  Memory），フラッシュメモリ等が挙げられる。通信部１６及びアンテナ１７は、例えば無線通信モジュールによって実現される。
【００６１】
また、制御部１４での上記説明における各処理は、各処理に対応するプログラムをプロセッサに実行させることによって実現しても良い。例えば、制御部１４での上記説明における各処理に対応するプログラムがリモコン１０が有するメモリに記憶され、リモコン１０が有するプロセッサによってプログラムがメモリから読み出されて実行されても良い。
【符号の説明】
【００６２】
１  空気調和機制御システム
１０  リモートコントローラ
２０  空気調和機
１２  操作部
１３  表示部
１４  制御部
【図１】
2020070971.tif 000003
【図２】
2020070971.tif 000004
【図３】
2020070971.tif 000005
【図４】
2020070971.tif 000006
【図５】
2020070971.tif 000007
【図６】
2020070971.tif 000008
【図７】
2020070971.tif 000009